(57)【要約】【課題】  メンテナンスの手間を低減し、かつ、抗菌性、防汚性、防臭性の高い義歯など歯科人工修復物を提供する。【解決手段】  歯の欠損を補綴・修復するための義歯構造物となる歯科人工修復物であって、全体の基台となるベース１１０と、欠損している歯の代替物である一または複数の義歯１１１と、第１の金属粒１２１と、第２の金属粒１２２とを備えている。第２の金属粒１２２は第１の金属粒１２１とは異なる種類の金属である。第１の金属粒を義歯またはベースの一端の舌側面付近に設け、第２の金属粒を義歯またはベースの他端の舌側面付近に設ける。第１の金属粒１２１と第２の金属粒１２２はベース１１０の表面に露出しており、裏面においてベース１１０内に金属構造物に接着している。【選択図】図１
0003125553.tif 000002
【実用新案登録請求の範囲】
【請求項１】
歯の欠損を補綴・修復するための義歯構造物となる歯科人工修復物であって、
全体の基台となるベースと、欠損している歯の代替物である一または複数の義歯と、第１の金属粒と、前記第１の金属粒とは異なる種類の第２の金属粒とを備え、
前記第１の金属粒および第２の金属粒の一方を前記義歯またはベースの一端の舌側面付近に設け、他方を前記義歯またはベースの他端の舌側面付近に設けたことを特徴とする歯科人工修復物。
【請求項２】
前記義歯に両側の大臼歯の義歯が含まれている場合、前記第１の金属粒および第２の金属粒の一方を片側の前記大臼歯の義歯の舌側面付近に設け、前記第１の金属粒および第２の金属粒の他方を他側の前記大臼歯の義歯の舌側面付近に設けたことを特徴とする請求項１に記載の歯科人工修復物。
【請求項３】
歯根が複数ある歯の欠損を補綴・修復するための支台および冠を備えた支台築造物となる歯科人工修復物であって、前記支台の歯根側先端が複数に分かれ、それぞれの前記歯根に対してそれぞれの前記支台の歯根側先端が埋め込まれ、前記支台の上部に前記冠が設けられた構造において、
第１の金属粒と前記第１の金属粒とは異なる種類の第２の金属粒を、それぞれの前記支台の歯根側先端に設け、
前記第１の金属粒および第２の金属粒の一方を、前記支台の歯根側先端の一方に設け、他方を前記支台の歯根側先端の他方に設けたことを特徴とする歯科人工修復物。
【請求項４】
歯根が単数である歯の欠損を補綴・修復するための支台および冠を備えた支台築造物となる歯科人工修復物であって、前記歯根に対して前記支台の歯根側先端が埋め込まれ、前記支台の上部に前記冠が設けられた構造において、
第１の金属粒と前記第１の金属粒とは異なる種類の第２の金属粒のうち、一方を前記支台の歯根側先端に設け、他方を前記冠の舌側面表面に設けたことを特徴とする歯科人工修復物。
【請求項５】
前歯の欠損を補綴・修復するための歯冠および歯の一部を備えた歯冠修復物となる歯科人工修復物であって、
第１の金属粒と前記第１の金属粒とは異なる種類の第２の金属粒の一方を前記歯冠修復物の舌側面表面の基底部の左端に設け、他方を前記歯冠修復物の舌側面表面の基底部の右端に設けたことを特徴とする歯科人工修復物。
【請求項６】
大臼歯の欠損を補綴・修復するための歯冠および歯の一部を備えた歯冠修復物となる歯科人工修復物であって、
第１の金属粒と前記第１の金属粒とは異なる種類の第２の金属粒の一方を前記歯冠修復物の舌側面表面の歯頸部の左端に設け、他方を前記歯冠修復物の舌側面表面の歯頸部の右端に設けたことを特徴とする歯科人工修復物。
【請求項７】
臼歯の欠損を補綴・修復するための歯冠および歯の一部を備えた歯冠修復物となる歯科人工修復物であって、
第１の金属粒と前記第１の金属粒とは異なる種類の第２の金属粒の一方を前記歯冠修復物の舌側面表面に設け、他方を前記歯冠修復物の頬側面表面に設けたことを特徴とする歯科人工修復物。
【請求項８】
前歯歯列の欠損を補綴・修復するための義歯およびブリッジ台を備えたブリッジ構造物となる歯科人工修復物であって、
第１の金属粒と前記第１の金属粒とは異なる種類の第２の金属粒の一方を前記ブリッジ構造物の一端の義歯の舌側面表面の基底部に設け、他方を前記ブリッジ構造物の他端の義歯の舌側面表面の基底部に設けたことを特徴とする歯科人工修復物。
【請求項９】
臼歯歯列の欠損を補綴・修復するための義歯およびブリッジ台を備えたブリッジ構造物となる歯科人工修復物であって、
第１の金属粒と前記第１の金属粒とは異なる種類の第２の金属粒の一方を前記ブリッジ構造物の一端の義歯の舌側面表面の歯頸部に設け、他方を前記ブリッジ構造物の他端の義歯の舌側面表面の歯頸部に設けたことを特徴とする歯科人工修復物。
【請求項１０】
前記歯科人工修復物が金属構造物と樹脂素材構造物の組み合わせからなり、
前記第１の金属粒と前記第２の金属粒がその表面において生体面と接し、その裏面において前記金属構造物と接するように設けられたことを特徴とする請求項１から９のいずれかに記載の歯科人工修復物。
【請求項１１】
前記第１の金属粒が金粒（純金または金含有合金）、銀粒（純銀または銀含有合金）、銅粒（純銅または銅含有合金）、プラチナ粒（純プラチナまたはプラチナ含有合金）のいずれかであり、他方が金粒（純金または金含有合金）、銀粒（純銀または銀含有合金）、銅粒（純銅または銅含有合金）、プラチナ粒（純プラチナまたはプラチナ含有合金）のうち前記第１の貴金属とは異なるものである請求項１から１０のいずれかに記載の歯科人工修復物。
【請求項１２】
前記第１の金属粒と前記第２の金属粒に加え、一または複数の他の金属粒を備え、前記他の金属粒がその表面において生体面と接するように設けられたことを特徴とする請求項１から１１のいずれかに記載の歯科人工修復物。
【請求項１３】
歯列および口腔内の衛生状態を改善するための歯科人工貼付物であって、
第１の金属粒と、前記第１の金属粒とは異なる種類の第２の金属粒とを備え、
前記第１の金属粒および第２の金属粒の一方を前記歯列の一端の舌側面付近に設け、他方を前記歯列の他端の舌側面付近に設けたことを特徴とする歯科人工貼付物。
【考案の詳細な説明】
【技術分野】
【０００１】
本考案は、歯顎の欠損を補綴・修復するために欠損部位の形状に成形せしめた歯科人工修復物に関する。特に、義歯構造物、支台築造物、歯冠修復物、ブリッジ構造物、マウスピース、マウスガード、矯正装置などの歯科人工修復物に関する。また、本考案は歯列および口腔内の衛生状態を改善するための歯科人工貼付物に関する。
【背景技術】
【０００２】
歯顎の欠損を補綴・修復するための歯科人工修復物として、義歯構造物、支台築造物、歯冠修復物、ブリッジ構造物などが用いられている。これらは欠損が生じている歯顎部分に直接装着するため、衛生面の問題が重要となってくる。以下、義歯を例に説明を続ける。
義歯構造物には、義歯床と義歯床に固定された人工歯とクラスプとを有する有床のものや、金属クラスプのないものなどがある。
支台築造物とは、冠を被せるための人工支台の構造物である。材料としては金属や樹脂素材により作られることが多い。
歯冠修復物とは、歯に被せる冠と歯の一部を回復する修復物のことである。材料としては金属、セラミック、樹脂素材の組み合わせや、金属とセラミックの組み合わせ、金属と樹脂素材の組み合わせなどがある。
ブリッジ構造物は両脇の残存歯にアタッチメント等を使用した架工義歯のことであり、材料としては、金属、セラミック、樹脂素材の組み合わせや、金属とセラミックの組み合わせ、金属と樹脂素材の組み合わせなどがある。
【０００３】
考案者受川悟は歯科技工士として、長年、義歯装着者の義歯などの歯科人口修復物の口内での状態を多数見ており、洗浄メンテナンスの不完全さにより、変色した臭いのある不衛生な状態のものが多いことを指摘してきた。この不衛生な汚れや悪臭はデンチャープラーク等のバイオフィルムに因るものであり、バイオフィルムの病原性が健康に影響を及ぼす場合もあり、今後、高齢者、要支援介護者、要介護者の急増に伴い、義歯の容易かつ効果的なメンテナンスの提供が必要であると考えてきた。
従来技術では義歯洗浄剤などにより洗浄液を製作し、義歯を洗浄することによりメンテナンスを行なうこととなっている。
【０００４】
【非特許文献１】奥野義彦、「有床義歯技工学２ 局部床義歯編」、医歯薬出版株式会社、昭和５３年３月５日、ｐ．２−３
【特許文献１】特開２００５−２７２３６５号公報
【特許文献２】特開２００５−０６０６９５号公報
【考案の開示】
【考案が解決しようとする課題】
【０００５】
しかし、従来の義歯洗浄剤は洗浄液を製作し、義歯を洗浄液に一定時間浸すなどの手間が必要であった。
また、漂白剤が入っており、漂白剤を漱ぎ洗うために念入りに水洗いする必要などの手間が必要であった。
また、洗浄剤には義歯材料を劣化させるものも多い。特に塩素系漂白剤は劣化が激しい。
【０００６】
上記問題点に鑑み、本考案は、メンテナンスの手間を低減し、かつ、抗菌性、防汚性、防臭性の高い義歯など歯科人工修復物を提供することを目的とする。また本考案は歯列および口腔内の衛生状態を改善するための歯科人工貼付物を提供することを目的とする。
【課題を解決するための手段】
【０００７】
上記目的を達成するため、本考案の第１の歯科人工修復物は、歯の欠損を補綴・修復するための義歯構造物となる歯科人工修復物であって、
全体の基台となるベースと、欠損している歯の代替物である一または複数の義歯と、第１の金属粒と、前記第１の金属粒とは異なる種類の第２の金属粒とを備え、
前記第１の金属粒および第２の金属粒の一方を前記義歯またはベースの一端の舌側面付近に設け、他方を前記義歯またはベースの他端の舌側面付近に設けたことを特徴とする。
【０００８】
上記構成により、銀や銅など貴金属が有する抗菌効果により義歯表面に付着する病原性細菌などの疾患を防げる。なお、当該抗菌効果は義歯表面のみならず口腔内全体に得られ、歯臭の低減につながる。
また、第１の金属粒と第２の金属粒の持つ電位差により唾液を介して極微弱の電流が流れて帯電が防止され、汚れが付着しにくくなるという効果が期待できる。なお、歯肉の血行促進、唾液の分泌の活性化という効果も期待される。
【０００９】
上記本考案の第１の歯科人工修復物において、前記義歯に両側の大臼歯の義歯が含まれている場合、前記第１の金属粒および第２の金属粒の一方を片側の前記大臼歯の義歯の舌側面付近に設け、前記第１の金属粒および第２の金属粒の他方を他側の前記大臼歯の義歯の舌側面付近に設けることが好ましい。
第１の金属粒と第２の金属粒は適切に離れていた方が義歯全体について抗菌効果が得られることとなるが、両側の大臼歯が義歯列に含まれている場合は両側の大臼歯の舌側面付近が適切と考えられるからである。
【００１０】
次に、本考案の第２の歯科人工修復物は、歯根が複数ある歯の欠損を補綴・修復するための支台および冠を備えた支台築造物となる歯科人工修復物であって、前記支台の歯根側先端が複数に分かれ、それぞれの前記歯根に対してそれぞれの前記支台の歯根側先端が埋め込まれ、前記支台の上部に前記冠が設けられた構造の場合、
第１の金属粒と前記第１の金属粒とは異なる種類の第２の金属粒を、それぞれの前記支台の歯根側先端に設け、
前記第１の金属粒および第２の金属粒の一方を、前記支台の歯根側先端の一方に設け、他方を前記支台の歯根側先端の他方に設けたことを特徴とする。
また、歯根が単数である歯の欠損を補綴・修復するための支台および冠を備えた支台築造物となる歯科人工修復物であって、前記歯根に対して前記支台の歯根側先端が埋め込まれ、前記支台の上部に前記冠が設けられた構造の場合、
第１の金属粒と前記第１の金属粒とは異なる種類の第２の金属粒のうち、一方を前記支台の歯根側先端に設け、他方を前記冠の舌側面表面に設けたことを特徴とする。
【００１１】
上記構成により、第１の金属粒と第２の金属粒は支台の歯根側先端に設けているので、歯根周辺の疾患予防につながり、抗菌効果、血行促進の効果が期待できる。歯根が衛生的に保たれるので歯周組織と歯肉の血行促進が図られ、歯周病、歯肉炎、歯槽膿漏の予防が期待でき、歯周組織のプラークコントロールが期待できる。また、帯電防止の効果も期待できる。
【００１２】
次に、本考案の第３の歯科人工修復物は、以下の歯冠修復物である。
前歯の欠損を補綴・修復するための歯冠および歯の一部を備えた歯冠修復物となる歯科人工修復物の場合においては、第１の金属粒と前記第１の金属粒とは異なる種類の第２の金属粒の一方を前記歯冠修復物の舌側面表面の基底部の左端に設け、他方を前記歯冠修復物の舌側面表面の基底部の右端に設けたことを特徴とする。
大臼歯の欠損を補綴・修復するための歯冠および歯の一部を備えた歯冠修復物となる歯科人工修復物の場合においては、第１の金属粒と前記第１の金属粒とは異なる種類の第２の金属粒の一方を前記歯冠修復物の舌側面表面の歯頸部の左端に設け、他方を前記歯冠修復物の舌側面表面の歯頸部の右端に設けたことを特徴とする。
臼歯の欠損を補綴・修復するための歯冠および歯の一部を備えた歯冠修復物となる歯科人工修復物の場合においては、第１の金属粒と前記第１の金属粒とは異なる種類の第２の金属粒の一方を前記歯冠修復物の舌側面表面に設け、他方を前記歯冠修復物の頬側面表面に設けたことを特徴とする。
【００１３】
上記構成により、第１の金属粒と第２の金属粒の持つ電位差により唾液を介して極微弱の電流が流れて帯電が防止され、汚れが付着しにくくなるという効果が期待できる。歯冠周囲の歯周組織と歯肉の血行促進が図られ、歯周病、歯肉炎、歯槽膿漏の予防が期待でき、歯周組織のプラークコントロールが期待できる。また、当該抗菌効果は歯冠表面のみならず口腔内全体に得られ、歯臭の低減につながる。また、帯電防止の効果も期待できる。
【００１４】
次に、本考案の第４の歯科人工修復物は、以下のブリッジ構造物である。
前歯歯列の欠損を補綴・修復するための義歯およびブリッジ台を備えたブリッジ構造物となる歯科人工修復物の場合においては、第１の金属粒と前記第１の金属粒とは異なる種類の第２の金属粒の一方を前記ブリッジ構造物の一端の義歯の舌側面表面の基底部に設け、他方を前記ブリッジ構造物の他端の義歯の舌側面表面の基底部に設けたことを特徴とする。
臼歯歯列の欠損を補綴・修復するための義歯およびブリッジ台を備えたブリッジ構造物となる歯科人工修復物の場合においては、第１の金属粒と前記第１の金属粒とは異なる種類の第２の金属粒の一方を前記ブリッジ構造物の一端の義歯の舌側面表面の歯頸部に設け、他方を前記ブリッジ構造物の他端の義歯の舌側面表面の歯頸部に設けたことを特徴とする。
【００１５】
上記構成により、歯冠修復物と同様、第１の金属粒と第２の金属粒の持つ電位差により唾液を介して極微弱の電流が流れて帯電が防止され、汚れが付着しにくくなるという効果が期待できる。ブリッジ周囲の歯周組織と歯肉の血行促進が図られ、歯周病、歯肉炎、歯槽膿漏の予防が期待でき、歯周組織のプラークコントロールが期待できる。また、当該抗菌効果はブリッジ表面のみならず口腔内全体に得られ、歯臭の低減につながる。また、帯電防止の効果も期待できる。
【００１６】
なお、本考案の第１から第４の歯科人工修復物において、以下の構成上の工夫をすることができる。
第１には、前記歯科人工修復物が金属構造物と樹脂素材構造物の組み合わせからなり、前記第１の金属粒と前記第２の金属粒がその表面において生体面と接し、その裏面において前記金属構造物と接するように設けられた構成である。
第２には、前記第１の金属粒が金粒（純金または金含有合金）、銀粒（純銀または銀含有合金）、銅粒（純銅または銅含有合金）、プラチナ粒（純プラチナまたはプラチナ含有合金）のいずれかであり、他方が金粒（純金または金含有合金）、銀粒（純銀または銀含有合金）、銅粒（純銅または銅含有合金）、プラチナ粒（純プラチナまたはプラチナ含有合金）のうち前記第１の貴金属とは異なるものであるとする構成である。
第３には、前記第１の金属粒と前記第２の金属粒に加え、一または複数の他の金属粒を備え、前記他の金属粒がその表面において生体面と接するように設けられた構成である。
【００１７】
第１の工夫によれば、第１の金属粒と第２の金属粒が義歯構造物の内部において金属素材のベース内で電気的に導通しており口腔内においても唾液を介して電気的に導通し得る。
第２の工夫は貴金属の成分の工夫をしたものである。
第３の工夫は金属粒の数を増やしたものである。本考案では金属粒の数は特に限定されない。
【００１８】
次に、本考案の歯列および口腔内の衛生状態を改善するための歯科人工貼付物は、第１の金属粒と、前記第１の金属粒とは異なる種類の第２の金属粒とを備え、前記第１の金属粒および第２の金属粒の一方を前記歯列の一端の舌側面付近に設け、他方を前記歯列の他端の舌側面付近に設けたことを特徴とする。
上記構成により、第１の金属粒と第２の金属粒の持つ電位差により唾液を介して極微弱の電流が流れて帯電が防止され、汚れが付着しにくくなるという効果が期待できる。歯列周囲の歯周組織と歯肉の血行促進が図られ、歯周病、歯肉炎、歯槽膿漏の予防が期待でき、歯周組織のプラークコントロールが期待できる。また、当該抗菌効果は歯列のみならず口腔内全体に得られ、歯臭の低減につながる。また、帯電防止の効果も期待できる。
【考案の効果】
【００１９】
本考案の歯科人工修復物によれば、銀など貴金属が有する抗菌効果により義歯表面に付着する病原性細菌などの疾患を防げる。なお、当該抗菌効果は義歯表面のみならず口腔内全体に得られ、歯臭の低減につながる。
また、第１の金属粒と第２の金属粒の持つ電位差により唾液を介して極微弱の電流が流れて帯電が防止され、汚れが付着しにくくなるという効果が期待できる。なお、歯肉の血行促進、唾液の分泌の活性化という効果も期待される。
また、歯周組織と歯肉の血行促進が図られ、歯周病、歯肉炎、歯槽膿漏の予防が期待でき、歯周組織のプラークコントロールが期待できる。
【考案を実施するための最良の形態】
【００２０】
以下、本考案を実施するための最良の形態について実施例により具体的に説明する。なお、本考案はこれらの実施例に限定されるものではない。
（実施形態１）
本考案の第１の歯科人工修復物は本考案を適用した義歯構造物である。以下は義歯構造物の一例を取り上げたものであり、本考案の歯科人工修復物は多様な義歯構造物に適用できる。
【００２１】
図１は、本考案の義歯構造物１００の構造の概要を模式的に示した図である。
本考案の義歯構造物１００は、欠損した歯を補綴・修復するために欠損部位の形状に成形せしめたものとなっている。ベース１１０に対して一または複数の義歯１１１が設けられ、このベース１１０の所定個所に第１の金属粒１２１と第２の金属粒１２２が設けられた構造となっている。なお、クラスプなど歯科人工修復物の他の構造物は図示を省略している。
第１の金属粒１２１と第２の金属粒１２２はその表面がベース１１０の舌側面側の表面に露出するように設けられている。第１の金属粒が義歯列の一端の義歯の舌側面付近に設けられ、第２の金属粒が義歯列の他端の義歯の舌側面付近に設けられている。
【００２２】
ベース１１０は、金属素材、プラスチック、またはそれらの組み合わせにより作られている。この素材は歯科技術の発達に伴って様々な素材の選択が可能である。現在では、例えば、金属素材として銀含有合金素材など、プラスチックとしてはアクリリックレジンなどが選択されることが多い。
第１の金属粒１２１と第２の金属粒１２２は貴金属または貴金属含有合金粒であり、それぞれ異なるものが選択される。例えば、第１の金属粒が金粒、第２の金属粒が銀粒とする構成が挙げられる。他の例として、第１の金属粒がプラチナ粒、第２の金属粒が金粒とする構成が挙げられる。また、他の例として第１の金属粒がプラチナ粒、第２の金属粒が銀粒とする構成が挙げられる。また、他の例として第１の金属粒が金粒、第２の金属粒が銅粒とする構成が挙げられる。また、他の例として第１の金属粒がプラチナ粒、第２の金属粒が銅粒とする構成が挙げられる。他の例として第１の金属粒が銀粒、第２の金属粒が銅粒とする構成が挙げられる。
【００２３】
また、金属粒として貴金属含有合金（例えば、金含有合金、銀含有合金、プラチナ含有合金、銅含有合金）を選択することができる。例えば、第１の金属粒が金含有合金粒、第２の金属粒が銀含有合金粒とする構成が挙げられる。他の例として、第１の金属粒がプラチナ含有合金粒、第２の金属粒が金含有合金粒とする構成が挙げられる。また、他の例として第１の金属粒がプラチナ含有合金粒、第２の金属粒が銀含有合金粒とする構成が挙げられる。
第１の金属粒１２１と第２の金属粒１２２はその表面がベース１１０の舌側面側の表面に露出するように設けられているので、口腔内の唾液と直接触れることとなる。第１の金属粒と第２の金属粒の持つ電位差がある場合は口腔内の唾液を介して極微弱の電流が流れて帯電が防止され、汚れが付着しにくくなるという効果が期待できる。
【００２４】
なお、第１の金属粒１２１と第２の金属粒１２２のベース１１０への取り付け方法であるが特に限定はされない。一例としては、歯科用接着剤や即時重合レジンを用いてベース１１０に接着する方法がある。特に接着する部分のベース素材がレジンである場合は歯科用即時重合レジンが有力な選択肢となる。
【００２５】
接着する部分のベース素材の内部に金属構造物がある場合も歯科用接着剤は有力な選択肢である。金属構造物側に台座を設け、金属粒を溶接する方法もある。図１（Ｂ）はベースが金属構造物を含み、その金属構造物に金属粒を接着した場合の構造例を模式的に示した図である。図１（Ｂ）は模式図、図１（Ｃ）は縦断面図である。図１（Ｂ）において本来は内部に埋設されて見えない金属構造物が模式的に網掛けで表示されている。ベース１１０全体の表面は樹脂素材で覆われているが、図１では分かりやすいように内部に埋設された金属構造物１３０が見えるように図示されている。図１（Ｃ）は第１の金属粒１２１が設けられている部分の縦断面が示されており、第１の金属粒１２１は表面において生体面と接するようにベース表面に露出し、裏面において金属構造物１３０と接するように設けられている。
上記のように、第１の金属粒１２１と第２の金属粒１２２をベース１１０に固定して義歯構造物１００を得る。
【００２６】
上記構造の義歯構造物１００の義歯を種々試作した。
【００２７】
［例１：上顎総義歯］
上顎総義歯１００ａの場合、義歯列中に上顎の両側の大臼歯の義歯が含まれている。この場合、第１の金属粒１２１を上顎の一方の大臼歯の義歯の舌側面付近に設け、第２の金属粒１２２を、上顎の他方の大臼歯の義歯の舌側面付近に設ける。
図２は上顎総義歯の場合の本考案の義歯構造物の例を示した図である。
図２は、上顎総義歯を下面側から見た図（底面図）である。つまり、舌の上面と接する面が見えている。ベース１１０は口蓋全面に接するような大きな広がりを持っている。ベース１１０の素材は全面が銀含有合金板でも良く、プラスチックでも良い。
図２の例では第１の金属粒１２１が上顎右側の大臼歯の義歯の舌側面付近に設けられ、第２の金属粒１２２が上顎左側の大臼歯の義歯の舌側面付近に設けられている。例えば、第１の金属粒１２１が純金粒、第２の金属粒１２２が純銀粒である。
【００２８】
［例２：下顎総義歯］
下顎総義歯１００ｂの場合、義歯列中に下顎の両側の大臼歯の義歯が含まれている。この場合、第１の金属粒１２１を下顎の一方の大臼歯の義歯の舌側面付近に設け、第２の金属粒１２２を、下顎の他方の大臼歯の義歯の舌側面付近に設ける。
図３は下顎総義歯の場合の本考案の義歯構造物の例を示した図である。
図３は、下顎総義歯を上面側から見た図（平面図）である。つまり、舌の下面と接する面が見えている。ベース１１０は下顎上面かつ舌下面に挟まれるようなＵ字型の大きな広がりを持っている。ベース１１０の素材は全面が銀含有合金板でも良く、プラスチックでも良い。
図３の例では第１の金属粒１２１が下顎右側の大臼歯の義歯の舌側面付近に設けられ、第２の金属粒１２２が下顎左側の大臼歯の義歯の舌側面付近に設けられている。例えば、第１の金属粒１２１が純プラチナ粒、第２の金属粒１２２が純銀粒である。
【００２９】
［例３：両側義歯（上顎の場合）］
上顎両側義歯１００ｃの場合、義歯列中に上顎の両側の大臼歯の義歯が含まれている。この場合、第１の金属粒１２１を上顎の一方の大臼歯の義歯の舌側面付近に設け、第２の金属粒１２２を、上顎の他方の大臼歯の義歯の舌側面付近に設ける。
図４は、上顎両側義歯を下面側から見た図（底面図）である。つまり、舌の上面と接する面が見えている。ベース１１０は口蓋全面を橋渡しするような大きな広がりを持っている。ベース１１０の素材は全面が銀含有合金板でも良く、プラスチックでも良い。
図４の構造例ではクラスプ１１２が設けられている。
図４の例では第１の金属粒１２１が上顎右側の大臼歯の義歯の舌側面付近に設けられ、第２の金属粒１２２が上顎左側の大臼歯の義歯の舌側面付近に設けられている。例えば、第１の金属粒１２１が金含有合金粒、第２の金属粒１２２が銀含有合金粒である。
【００３０】
［例４：片側義歯（上顎の場合）］
上顎片側義歯１００ｄの場合、第１の金属粒１２１を片側義歯の一端の義歯の舌側面付近に設け、第２の金属粒１２２を片側義歯の他端の義歯の舌側面付近に設ける。
図５は、上顎片側義歯を下面側から見た図（底面図）である。つまり、舌の上面と接する面が見えている。ベース１１０は片側の義歯列の歯茎をカバーするような広がりを持っている。ベース１１０の素材は全面が銀含有合金板でも良く、プラスチックでも良い。
図５の構造例ではクラスプ１１２が設けられている。
図５の例では第１の金属粒１２１が片側義歯の一端の義歯の舌側面付近に設けられ、第２の金属粒１２２が片側義歯の他端の義歯の舌側面付近に設けられている。例えば、第１の金属粒１２１がプラチナ含有合金粒、第２の金属粒１２２が金含有合金粒である。
【００３１】
［例５：前歯部義歯（上顎の場合）］
上顎前歯部義歯１００ｅの場合、第１の金属粒１２１を前歯部義歯の一端の義歯の舌側面付近に設け、第２の金属粒１２２を前歯部義歯の他端の義歯の舌側面付近に設ける。
図６は、上顎前歯部義歯を下面側から見た図（底面図）である。つまり、舌の上面と接する面が見えている。ベース１１０は前歯の義歯列の歯茎をカバーするような広がりを持っている。ベース１１０の素材は全面が銀含有合金板でも良く、プラスチックでも良い。
図６の例では第１の金属粒１２１が前歯部義歯の一端の義歯の舌側面付近に設けられ、第２の金属粒１２２が前歯部義歯の他端の義歯の舌側面付近に設けられている。例えば、第１の金属粒１２１が銀含有合金粒、第２の金属粒１２２が金含有合金粒である。
【００３２】
（実施形態２）
本考案の第２の歯科人工修復物は本考案を適用した支台築造物である。以下は支台築造物の一例を取り上げたものであり、本考案の歯科人工修復物は多様な支台築造物に適用できる。
【００３３】
［例１：支台築造物（下顎の臼歯用の場合）］
下顎の大臼歯は歯根が複数ある。下顎の臼歯用の支台築造物の場合、支台の歯根側先端が複数に分かれ、それぞれの歯根に対してそれぞれの支台の歯根側先端が埋め込まれ、支台の上部に歯冠が設けられた構造となっている。第１の金属粒が支台の歯根側先端の一方に設けられ、第２の金属粒が支台の歯根側先端の他方に設けられている。
図７は、下顎の大臼歯用の支台築造物２００ａの縦断面を示す図である。図７の例では、支台築造物２００ａは支台２１０と歯冠２２０を備え、支台２１０の歯冠側は台座となっているが、支台２１０の歯根側の先端は先端部２１１、２１２の２つに分かれている。支台築造物２００ａの素材は銀含有合金棒などである。
第１の金属粒１２１が支台の歯根側先端２１１に設けられ、第２の金属粒１２２が支台の歯根側先端２１２に設けられている。例えば、第１の金属粒１２１が銀含有合金粒、第２の金属粒１２２が金含有合金粒である。
【００３４】
［例２：支台築造物（下顎の前歯用の場合）］
下顎の前歯は歯根が単数である。下顎の前歯用の支台築造物の場合、支台の歯根側先端が単数であり、前歯の歯根に対して支台の歯根側先端が埋め込まれ、支台の上部の台座上に歯冠が被せられた構造となっている。
第１の金属粒が支台築造物の歯根側先端に設けられ、第２の金属粒が歯冠の舌側面表面に設けられている。
図８は、下顎の前歯用の支台築造物２００ｂの縦断面を示す図である。図８の例では、支台築造物２００ｂの歯冠側は台座となっており、歯根側の先端２１３１は棒状になっている。支台築造物２００ｂの素材は銀含有合金棒などである。
第１の金属粒１２１が支台の歯根側先端２１１に設けられ、第２の金属粒１２２が歯冠の舌側面表面に設けられている。例えば、第１の金属粒１２１が銀含有合金粒、第２の金属粒１２２がプラチナ含有合金粒である。
【００３５】
（実施形態３）
本考案の第３の歯科人工修復物は本考案を適用した歯冠修復物である。以下は歯冠修復物の一例を取り上げたものであり、本考案の歯科人工修復物は多様な歯冠修復物に適用できる。
【００３６】
［例１：歯冠修復物（下顎の前歯用の場合）］
前歯は板状の構造であり、表面（唇側）は略平面、裏面（舌側）は略スコップ状の凹面をなしている。厚みにおいて上方が薄く下方が太くなっている。当該下方の太くなっている部分は基底部と呼ばれている。第１の金属粒が歯冠修復物の舌側面表面の基底部の左端に設けられ、第２の金属粒が歯冠修復物の舌側面表面の基底部の右端に設けられている。
図９は、下顎の前歯用の歯冠修復物３００ａの裏面（舌側）と歯根を併せて示している図である。歯冠修復物３００ａは、歯冠３１０と、舌側面表面の基底部３２０を備え、歯の欠損状態に合わせて欠損を補綴・修復する部分の他の形状も備えている（図示せず）。歯冠修復物３００ａの素材は歯科用合金、セラミック、プラスチックなどである。
第１の金属粒１２１が歯冠修復物３００ａの舌側面表面の基底部３２０の左端に設けられ、第２の金属粒１２２が歯冠修復物３００ａの舌側面表面の基底部３２０の右端に設けられている。例えば、第１の金属粒１２１が純金粒、第２の金属粒１２２が純銀粒である。
【００３７】
［例２：歯冠修復物（下顎の臼歯用の場合）］
臼歯は略円筒形の構造であり、上方の方が径が大きく下方の方が径が小さく、いわゆる頸部（歯頸部）を持っている。第１の金属粒が歯冠修復物の舌側面表面の歯頸部の左端に設けられ、第２の金属粒が歯冠修復物の舌側面表面の歯頸部の右端に設けられている。
図１０は、下顎の大臼歯用の歯冠修復物３００ｂの裏面（舌側）と歯根を併せて示している図である。下顎の臼歯は歯根が複数ある。歯冠修復物３００ｂは、歯冠３１０と、舌側面表面の歯頸部３３０を備え、歯の欠損状態に合わせて欠損を補綴・修復する部分の他の形状も備えている（図示せず）。歯冠修復物３００ｂの素材は歯科用合金、セラミック、プラスチックなどである。
第１の金属粒１２１が歯冠修復物３００ｂの舌側面表面の歯頸部３３０の左端に設けられ、第２の金属粒１２２が歯冠修復物３００ｂの舌側面表面の歯頸部３３０の右端に設けられている。例えば、第１の金属粒１２１が純金粒、第２の金属粒１２２が純銀粒である。
【００３８】
［例３：歯冠修復物（下顎の臼歯隣接面用の場合）］
例３は、大臼歯、小臼歯は略円筒形の構造であるが、隣接しあっている場合、歯頸部の左右の端に金属粒を設けるスペースがない場合がある。そこで、歯頸部の左右の端ではなく舌側側と頬側のそれぞれに金属粒を設ける工夫をしたものである。第１の金属粒が歯冠修復物の舌側面表面に設けられ、第２の金属粒が歯冠修復物の頬側面表面に設けられている。
図１１は、下顎の小臼歯・大臼歯用の歯冠修復物３００ｃの裏面（舌側）と歯根の一部を併せて示している図（部分図）である。歯冠修復物３００ｃは、歯冠３１０と、舌側面表面３４０、頬側面表面３５０を備え、歯の欠損状態に合わせて欠損を補綴・修復する部分の他の形状も備えている（図示せず）。歯冠修復物３００ｃの素材は歯科用合金、セラミック、プラスチックなどである。
第１の金属粒１２１が歯冠修復物３００ｃの舌側面表面に設けられ、第２の金属粒１２２が歯冠修復物３００ｃの頬側面表面に設けられている。例えば、第１の金属粒１２１が純金粒、第２の金属粒１２２が純銀粒である。
【００３９】
（実施形態４）
本考案の第４の歯科人工修復物は本考案を適用したブリッジ構造物である。以下はブリッジ構造物の一例を取り上げたものであり、本考案の歯科人工修復物は多様なブリッジ構造物に適用できる。
【００４０】
［例１：ブリッジ構造物（下顎の前歯用の場合）］
実施形態３の歯冠修復物にて説明したように、前歯は板状の構造であり、表面（唇側）は略平面、裏面（舌側）は略スコップ状の凹面をなしており、厚みにおいて上方が薄く下方が太く基底部となっている。第１の金属粒がブリッジ構造物の一端かつ舌側面表面の基底部に設けられ、第２の金属粒がブリッジ構造物の他端かつ舌側面表面の基底部に設けられている。
図１２は、下顎の前歯用のブリッジ構造物４００ａの裏面（舌側）と歯根を併せて示している図である。ブリッジ構造物４００ａは、義歯１１１と、舌側面表面の基底部３２０を備え、歯の欠損状態に合わせて欠損を補綴・修復する部分の他の形状も備えている（図示せず）。ブリッジ構造物４００ａの素材は歯科用合金、セラミック、プラスチックなどである。
第１の金属粒１２１がブリッジ構造物４００ａの一端の義歯の舌側面表面の基底部３２０に設けられ、第２の金属粒１２２がブリッジ構造物４００ａの他端の義歯の舌側面表面の基底部３２０に設けられている。例えば、第１の金属粒１２１が純金粒、第２の金属粒１２２が純銀粒である。
【００４１】
［例２：ブリッジ構造物（下顎の臼歯用の場合）］
実施形態３の歯冠修復物にて説明したように、臼歯は略円筒形の構造であり、上方の方が径が大きく下方の方が径が小さく、いわゆる頸部（歯頸部）を持っている。第１の金属粒がブリッジ構造物の一端かつ舌側面表面の歯頸部に設けられ、第２の金属粒がブリッジ構造物の他端かつ舌側面表面の歯頸部に設けられている。
図１３は、下顎の臼歯用のブリッジ構造物４００ｂの裏面（舌側）と歯根を併せて示している図である。ブリッジ構造物４００ｂは、義歯１１１と、舌側面表面の歯頸部３３０を備え、歯の欠損状態に合わせて欠損を補綴・修復する部分の他の形状も備えている（図示せず）。ブリッジ構造物４００ｂの素材は歯科用合金、セラミック、プラスチックなどである。
第１の金属粒１２１がブリッジ構造物４００ｂの一端の義歯の舌側面表面の歯頸部３３０に設けられ、第２の金属粒１２２がブリッジ構造物４００ｂの他端の義歯の舌側面表面の歯頸部３３０に設けられている。例えば、第１の金属粒１２１が純金粒、第２の金属粒１２２が純銀粒である。
【００４２】
（実施形態５）
本考案の第５の歯科人工修復物は、上記実施形態１から実施形態４に示した歯科人工修復物において、第１の金属粒と第２の金属粒に加え、一または複数の他の金属粒を備えたものである。以下は上顎総義歯の一例を取り上げたものであるが、上記実施形態１から実施形態４の各例に挙げた多様な歯科人工修復物に適用できる。
【００４３】
［例１：上顎総義歯］
実施形態１の上顎総義歯の場合、第１の金属粒を上顎の一方の大臼歯の義歯の舌側面付近に設け、第２の金属粒を上顎の他方の大臼歯の義歯の舌側面付近に設けている。本実施形態５の上顎総義歯では、さらに、第３の金属粒と第４の金属粒を義歯の舌側面付近に設けるものである。
図１４は本考案の実施形態５にかかる上顎総義歯の義歯構造物の例を示した図である。
図１４は上顎総義歯１００ｆを下面側から見た図（底面図）である。ベース１１０は実施形態１の上顎総義歯１００ａと同様である。
図１４の例では第１の金属粒１２１が上顎右側の大臼歯の義歯の舌側面付近に設けられ、第２の金属粒１２２が上顎左側の大臼歯の義歯の舌側面付近に設けられている。本実施形態５の上顎総義歯では、さらに、第３の金属粒１２３が上顎の一方の小臼歯の義歯の舌側面付近に設けられ、第４の金属粒１２４が上顎の他方の小臼歯の義歯の舌側面付近に設けられている。例えば、第１の金属粒１２１が純金粒、第２の金属粒１２２が純銀粒、第３の金属粒１２３がプラチナ粒、第４の金属粒１２４もプラチナ粒である。
【００４４】
（実施形態６）
本考案の歯科人工貼付物を説明する。実施形態６の歯科人工貼付物は、第１の金属粒と、第１の金属粒とは異なる種類の第２の金属粒とを備え、第１の金属粒および第２の金属粒の一方を歯列の一端の舌側面付近に設け、他方を歯列の他端の舌側面付近に設けたものである。実施形態１から実施形態５に示した歯科人工修復物は義歯の表面に第１の金属粒と第２の金属粒を設ける構成であったが、この第１の金属粒と第２の金属粒を生体歯（義歯でない生来の歯）の表面に設けることによっても同様の効果が期待できる。つまり、実施形態１などにおいて説明したように、第１の金属粒と第２の金属粒の持つ電位差により唾液を介して極微弱の電流が流れて帯電が防止され、汚れが付着しにくくなるという効果が期待でき、歯冠周囲の歯周組織と歯肉の血行促進が図られ、歯周病、歯肉炎、歯槽膿漏の予防が期待でき、歯周組織のプラークコントロールが期待できる。また、当該抗菌効果は歯冠表面のみならず口腔内全体に得られ、歯臭の低減につながり、また、帯電防止の効果も期待できる。
【００４５】
以上、本考案の歯または歯茎の欠損を補綴・修復するための歯科人工修復物における好ましい実施形態を図示して説明してきたが、本考案の技術的範囲を逸脱することなく種々の変更が可能であることは理解されるであろう。
【産業上の利用可能性】
【００４６】
本考案は歯科人工修復物、特に、義歯構造物、支台築造物、歯冠修復物、ブリッジ構造物などの歯科人工修復物、マウスピース、マウスガード、矯正装置などに広く適用することができる。
【図面の簡単な説明】
【００４７】
【図１】本考案の義歯構造物１００の構造の概要を模式的に示した図
【図２】上顎総義歯の場合の本考案の義歯構造物の例を示した図
【図３】下顎総義歯の場合の本考案の義歯構造物の例を示した図
【図４】上顎両側義歯を下面側から見た図
【図５】上顎片側義歯を下面側から見た図
【図６】上顎前歯部義歯を下面側から見た図
【図７】下顎の臼歯用の支台築造物２００ａの縦断面を示す図
【図８】下顎の前歯用の支台築造物２００ｂの縦断面を示す図
【図９】下顎の前歯用の歯冠修復物３００ａの裏面（舌側）と歯根を併せて示している図
【図１０】下顎の大臼歯用の歯冠修復物３００ｂの裏面（舌側）と歯根を併せて示している図
【図１１】下顎の小臼歯・大臼歯用の歯冠修復物３００ｃの裏面（舌側）と歯根の一部を併せて示している図
【図１２】下顎の前歯用のブリッジ構造物４００ａの裏面（舌側）と歯根を併せて示している図
【図１３】下顎の臼歯用のブリッジ構造物４００ｂの裏面（舌側）と歯根を併せて示している図
【図１４】本考案の実施形態５にかかる上顎総義歯の義歯構造物の例を示した図
【符号の説明】
【００４８】
１００  義歯構造物
１１０  ベース
１１１  義歯
１２１  第１の金属粒
１２２  第２の金属粒
１２３  第３の金属粒
１２４  第４の金属粒
１３０  金属構造物
２００  支台築造物
２１０  支台
２２０  歯冠
２１１，２１２  支台の歯根側先端
３００  歯冠修復物
３１０  歯冠
３２０  基底部
３３０  歯頸部
４００  ブリッジ構造物
【図１】
0003125553.tif 000003
【図２】
0003125553.tif 000004
【図３】
0003125553.tif 000005
【図４】
0003125553.tif 000006
【図５】
0003125553.tif 000007
【図６】
0003125553.tif 000008
【図７】
0003125553.tif 000009
【図８】
0003125553.tif 000010
【図９】
0003125553.tif 000011
【図１０】
0003125553.tif 000012
【図１１】
0003125553.tif 000013
【図１２】
0003125553.tif 000014
【図１３】
0003125553.tif 000015
【図１４】
0003125553.tif 000016